(57)【要約】【課題】  繰り返し情報の書き換えが行われるカードの製品寿命を把握できる。【解決手段】  カード発行制御器１は、カード１１の発行時に、トラック１２ｃをリードしてエンコードデータの有無を判別し、エンコードデータが無いときはカウント値を０にし、エンコードデータが有るときはそのデータからカウント値を取得する。その後、情報の書き換えの有無を判別し、書き換えが有るときはカウント値を＋１して施解錠情報とともに同一のトラック１２ｃにエンコードして書き込む。書き換えが無いときはそのときのカウント値を施解錠情報とともに同一のトラック１２ｃにエンコードして書き込む。【選択図】    図２
2006221445.tif 000002
【特許請求の範囲】
【請求項１】
錠前を施解錠するために必要な施解錠情報とＰＯＳデータとを記憶する複数の記憶領域を有するとともに、各種情報が印字された書き換え可能なカードを発行するカード発行制御器であって、
前記カードの書き換え回数を示すカウントデータを前記記憶領域の一部にエンコードして書き込む手段を備えたことを特徴とするカード発行制御器。
【請求項２】
前記カウントデータは、前記施解錠情報と同一の記憶領域にエンコードして書き込まれることを特徴とする請求項１記載のカード発行制御器。
【発明の詳細な説明】
【技術分野】
【０００１】
本発明は、繰り返し書き換えが可能で、錠前を施解錠するために必要な施解錠情報だけでなく、例えば会員番号、カード発行日、サービスを受けるためのポイント、メッセージ等の各種情報が印字されたリトライカードを発行するカード発行制御器に関するものである。
【背景技術】
【０００２】
例えばホテルでは、客の宿泊時にチェックインからチェックアウトまでを１枚のカード（磁気カードやＩＣカード）で管理するカードロックシステムを採用している。
【０００３】
このカードロックシステムでは、客室入口において、各室のドアに配設されたエスカチオン（座金）にカード内の情報を読み取るためのカードリーダが装備されている。このカードリーダのカード挿入口に挿入されるカードには、例えばチェックイン／アウトの日時や客室番号などの情報がチェックイン時にホテル従業員によるカード発行制御器の操作によって書き込まれ、記憶されるようになっている。
【０００４】
そして、客がホテルに宿泊する場合には、客がフロントでチェックインの手続きを済ませると、上記カード発行制御器によって発行された１枚のカードがホテル従業員から客に手渡される。カードが手渡された客は、宿泊する部屋のドアに設置されたカードリーダのカード挿入口にカードを挿入すると、そのカード内の情報が読み込まれる。そして、読み込まれた情報が入室を許可して良い情報と判断されると、その部屋のドアの電気錠が自動的に解錠制御され、ドアの開放が可能となる。これにより、カードを所持する客はその部屋に入室することができる。そして、宿泊客は、発行されたカードを用いることで、上記カードロックの解錠の他、クレジットカードとの連携により、ホテル内の費用の決済のすべてが１枚のカードで可能となっている。なお、下記特許文献１には、上記のように各種情報が記憶されたカードを用いて入退室を管理するシステムが開示されている。
【特許文献１】特開平９−２９７８６５号公報
【発明の開示】
【発明が解決しようとする課題】
【０００５】
ところで、近年では、客の購入額に応じてポイントを提供し、一定ポイント数がたまればサービス・特典等を付与し、優良顧客の囲い込み、来店頻度向上を目的としたポイントカードシステムが普及している。
【０００６】
この種のポイントカードシステムには、繰り返し情報の書き換えが可能なリトライカードが用いられる。図３（ａ）に示すように、リトライカード１１は、記憶領域１２として複数のトラックを有している。図示の例では、３本のトラック１２ａ，１２ｂ，１２ｃを有しており、各トラック１２ａ，１２ｂ，１２ｃ毎に予め決められた各種情報が書き込まれる。さらに説明すると、第１、第２トラック１２ａ，１２ｂには、商品を販売する時点のレジ精算時に、その販売データ（例えば品名、数量、販売時刻など）がＰＯＳデータとして書き込まれる。また、第３トラック１２ｃには、錠前を施解錠するために必要な施解錠情報が書き込まれる。さらに、図３（ｂ）に示すように、リトライカード１１の表面の印字領域には、例えば顧客の識別とデータの管理をするための会員番号、各種サービスや特典を受けるためのポイント（今回のポイント、累積ポイント）、カード発行日、前回利用日、メッセージ等の各種情報（カード利用情報）が印字される。
【０００７】
ところが、従来、この種のリトライカード１１をホテルのカードロックシステムに採用して発行する場合には、第１、第２トラック１２ａ，１２ｂにＰＯＳデータ（販売データ）が書き込まれ、第３トラック１２ｃに錠前を施解錠するために必要な施解錠情報が書き込まれるようになっていた。しかし、発行されたリトライカード１１の記憶領域１２には、特に書き換え回数の情報が書き込まれていなかった。このため、使用されるリトライカード１１の製品寿命が把握しにくいという問題があった。その結果、カードの寿命を印字濃度など見た目で判断することになり、カードの消耗度合を予測できないため、計画的なカードの補充が行えず、余裕をもってカードを保管しておく必要があった。
【０００８】
そこで、本発明は上記問題点に鑑みてなされたものであり、繰り返し情報の書き換えが行われるカードの製品寿命を把握することができるカード発行制御器を提供することを目的とするものである。
【課題を解決するための手段】
【０００９】
上記した目的を達成するために、請求項１に記載されたカード発行制御器は、錠前を施解錠するために必要な施解錠情報とＰＯＳデータとを記憶する複数の記憶領域を有するとともに、各種情報が印字された書き換え可能なカードを発行するカード発行制御器であって、
前記カードの書き換え回数を示すカウントデータを前記記憶領域の一部にエンコードして書き込む手段を備えたことを特徴とする。
【００１０】
請求項２に記載されたカード発行制御器は、請求項１のカード発行制御器において、
前記カウントデータは、前記施解錠情報と同一の記憶領域にエンコードして書き込まれることを特徴とする。
【発明の効果】
【００１１】
本発明によれば、カードの書き換え回数を示すカウントデータがカードの記憶領域の所定トラックに書き込まれ、このカウントデータのカウント値を取得することによってカードの製品寿命を把握することができる。また、カウントデータは、施解錠情報と同じトラックにエンコードされて書き込まれるので、カードを発行する際、エンコードするトラックの切り替えが不要となり、カードの発行時間のロスを減少することができる。さらに、今まで未使用であった領域をカウントデータの書込みに使用するので、現状のシステムに導入しても処理上に影響を及ぼすことがなく、現状のシステムと互換性を持たすことができる。
【発明を実施するための最良の形態】
【００１２】
以下、本発明の実施の形態について、添付した図面を参照しながら具体的に説明する。図１は本発明に係るカード発行制御器の概略構成を示すブロック図、図２は同カード発行制御器の動作フローチャートである。
【００１３】
なお、本例のカード発行制御器１は、ホテルのカードロックシステムをはじめ、カードを利用する各種システムに採用可能であるが、ここではホテルのカードロックシステムに採用される場合を例にとって説明する。また、発行されるカード１１は、前述した図３と同一構成なので、その説明を省略する。
【００１４】
本例のカード発行制御器１は、ホテルへのチェックイン時に客に手渡されるカード（磁気カード）として、図３に示すような繰り返し情報の書き換えが可能なリトライカード（以下、カードと略称する）１１を発行している。図１に示すように、カード発行制御器１は、発行制御部２とカード発行部３を備えて概略構成される。
【００１５】
図１に示すように、発行制御部２は、入力手段４、制御側データ入出力手段５、データ判別処理手段６を備えて構成される。入力手段４は、宿泊する客室に装備された電気錠を施解錠するために必要な施解錠情報として、不図示の表示手段（表示器）の表示画面を見ながら所定のキー操作によって例えばチェックイン／アウトの日時、客室番号、顧客情報などの各種情報を入力している。
【００１６】
制御側データ入出力手段５は、カード発行部３の後述する発行側データ入出力手段３ａとの間で各種情報（カード１１から読み込んだ施解錠情報、カウントデータを含む各種エンコードデータなどの磁気データ）をシリアル通信により入出力している。
【００１７】
図１に示すように、データ判別処理手段６は、さらにエンコードデータ判別手段６ａ、カウントデータ処理手段６ｂ、書換有無判別処理手段６ｃを備えて構成される。エンコードデータ判別手段６ａは、カード発行部３がカード１１から読み取った情報を制御側データ入出力手段５を介して取り込み、この取り込んだ情報からエンコードデータの有無を判別し、その判別結果を示す判別信号をカウントデータ処理手段６ｂに出力している。また、エンコードデータ判別手段６ａは、エンコードデータ有りと判別したときに、そのエンコードデータをカウントデータ処理手段６ｂに出力している。
【００１８】
カウントデータ処理手段６ｂは、エンコードデータ判別手段６ａからエンコードデータ有りの判別信号が入力されたときに、そのエンコードデータからカード１１の書き換え回数を示すカウント値を取得し、取得したカウント値のカウントデータを印字・消去判別手段６ｃに出力している。また、カウントデータ処理手段６ｂは、エンコードデータ判別手段６ａからエンコードデータ無しの判別信号が入力されたときには、カウントデータのカウント値を０にし、このカウント値０のカウントデータを印字・消去判別手段６ｃに出力している。
【００１９】
書換有無判別処理手段６ｃは、カード１１に対する情報の書き換えの有無を判別している。具体的には、カード１１の印字領域に印字する情報があるか、又はカード１１の記憶領域１２に書き込まれた情報（全体又は一部）を消去するか否かを判別している。そして、書換有無判別処理手段６ｃは、情報の書き換え有りと判別したときに、カウントデータ処理手段６ｂから入力されるカウントデータのカウント値を＋１し、このカウント値のカウントデータを施解錠情報とともにカード１１の記憶領域１２の第３トラック１２ｃにエンコードし、このエンコードデータを制御側データ入出力手段５を介してカード発行部３に出力している。これに対し、情報の書き換え無しと判別したときには、カウントデータ処理手段６ｂから入力されるカウントデータを施解錠情報とともにカード１１の記憶領域１２の第３トラック１２ｃにエンコードし、このエンコードデータを制御側データ入出力手段５を介してカード発行部３に出力している。
【００２０】
図１に示すように、カード発行部３は、発行側データ入出力手段３ａ、情報読書手段３ｂを備えて構成される。発行側データ入出力手段３ａは、発行制御部２の制御側データ入出力手段５との間で各種情報（カード１１から読み込んだ施解錠情報、カウントデータを含む各種エンコードデータなどの磁気データ）をシリアル通信により入出力している。
【００２１】
情報読書手段３ｂは、カード１１の記憶領域１２の各トラック１２ａ〜１２ｃに記憶された各種情報（施解錠情報、カウントデータを含む各種エンコードデータなど）を読み取り、この読み取った情報を発行側データ入出力手段３ａを介して発行制御部２に送出している。また、情報読書手段３ｂは、発行制御部２から制御側データ入出力手段５、発行側データ入出力手段３ａを介して入力される各種情報（カード１１から読み込んだ施解錠情報、カウントデータを含む各種エンコードデータなど）をカード１１の記憶領域１２の該当するトラック（１２ａ〜１２ｃのいずれか）に書き込んでいる。さらに、情報読書手段３ｂは、発行制御部２からの各種情報に基づいてカード１１の印字領域に所望の印字を行っている。
【００２２】
次に、上記構成によるカード発行制御器１によってカード１１を発行するときの動作について図２を参照しながら説明する。
【００２３】
本例のカード発行制御器１を用いてカード１１を発行する場合には、まずカード１１の第３トラック１２ｃをリードする（ＳＴ１）。次に、第３トラック１２ｃをリードしたときにエンコードデータがあるか否か判別する（ＳＴ２）。ここで、エンコードデータ無しと判別すると（ＳＴ２−Ｎｏ）、カウントデータのカウンタ値を０にする（ＳＴ３）。これに対し、エンコードデータ有りと判別すると（ＳＴ２−Ｙｅｓ）、そのエンコードデータに含まれるカウントデータからカウント値を取得する（ＳＴ４）。
【００２４】
次に、カード１１に対する情報の書き換えの有無（印字の有無、情報消去の有無など）を判別する（ＳＴ５）。ここで、情報の書き換え有りと判別すると、カウントデータのカウンタ値を＋１し（ＳＴ６）、＋１されたカウンタ値によるカウントデータを施解錠情報と共に第３トラック１２ｃにエンコードして書き込み（ＳＴ７）、カード１１の発行が終了する。これに対し、情報の書き換え無しと判別すると、そのときのカウンタ値によるカウントデータを施解錠情報と共に第３トラック１２ｃにエンコードして書込み（ＳＴ７）、カード１１の発行が終了する。
【００２５】
このように、本例のカード発行制御器では、カード１１の書き換え回数を示すカウントデータがカード１１の記憶領域の所定トラックにエンコードデータとして書き込まれ、このカウントデータのカウント値を取得することによってカードの製品寿命を把握することができる。
【００２６】
そして、本例では、カード１１の書き換え回数を示すカウントデータが、施解錠情報と同じトラック（第３トラック１２ｃ）にエンコードされて書き込まれるので、カード１１を発行する際、エンコードするトラックの切り替えが不要となり、カードの発行時間のロスを減少することができる。
【００２７】
また、今まで未使用であった領域（第３トラック１２ｃの一部）をカウントデータの書込みに使用するので、現状のシステム（カードロックシステム）に導入しても処理上に影響を及ぼすことがなく、現状のシステムと互換性を持たすことができる（上位互換）。
【００２８】
そして、このような特徴を有するカード発行制御器１を採用すれば、カード１枚１枚の消耗度合が確認でき、カードの消耗度合も予測可能となり、計画的なカードの補充が行え、無駄なコストを防ぐことができる。また、カードの印字濃度が薄くなってきたときに、カウント値から製品寿命であることが証明でき、利用者を説得する資料になる。さらに、従来、フィールドでのカードの耐久回数を理論値との比較でしか把握できなかったものが、カウント値による実績値として情報収集して耐久回数を把握することができる。
【図面の簡単な説明】
【００２９】
【図１】本発明に係るカード発行制御器の概略構成を示すブロック図である。
【図２】本発明に係るカード発行制御器の動作フローチャートである。
【図３】（ａ）カードの一例を示す平面図である。  （ｂ）カードの記憶領域の概略図である。
【符号の説明】
【００３０】
１  カード発行制御器
２  発行制御部
３  カード発行部
３ａ  発行側データ入出力手段
３ｂ  情報読書手段
４  入力手段
５  制御側データ入出力手段
６  データ判別処理手段
６ａ  エンコードデータ判別手段
６ｂ  カウントデータ処理手段
６ｃ  書換有無判別処理手段
１１  カード（リトライカード）
１２  記憶領域
１２ａ，１２ｂ，１２ｃ  トラック
【図１】
2006221445.tif 000003
【図２】
2006221445.tif 000004
【図３】
2006221445.tif 000005